(57)【要約】【課題】建築物の外観の美観を損ねることなく、施工の自由度が大きく、かつ、施工が容易で施工期間を短縮できコストを低減する建築物の側壁避雷設備を提供することを目的とする。【解決手段】建築物の側壁避雷設備において、ＰＣ版からなる外壁パネルに受雷材取付金具を表裏面にその一部が露出するように予め打ち込み設置し、前記受雷材取付金具の裏面側露出部と構造用鉄骨とを接続用導電材で連結し、前記受雷材取付金具の表面側露出部に断面Ｌ字形の受雷材をその先端が前記外壁パネルの表面に貼り付ける化粧タイルの表面以上に突出するように設置することを特徴とする。【選択図】図１
2008312312.tif 000002
【特許請求の範囲】
【請求項１】
ＰＣ版からなる外壁パネルに受雷材取付金具を表裏面にその一部が露出するように予め打ち込み設置し、前記受雷材取付金具の裏面側露出部と構造用鉄骨とを接続用導電材で連結し、前記受雷材取付金具の表面側露出部に断面Ｌ字形の受雷材をその先端高さを前記外壁パネルの表面に貼り付ける化粧タイルの厚み以上として設置することを特徴とする建築物の側壁避雷設備。
【請求項２】
前記受雷材取付金具が水平部と垂直部からなるＴ字形で、水平部が外壁パネル表面上に露出するように取り付けることを特徴とする請求項１に記載の建築物の側壁避雷設備。
【請求項３】
前記受雷材取付金具の水平部に前記断面Ｌ字形の受雷材を予め固定しておくことを特徴とする請求項２に記載の建築物の側壁避雷設備。
【請求項４】
前記受雷材取付金具及び断面Ｌ字形の受雷材をステンレス製とすることを特徴とする請求項１〜３のいずれかに記載の建築物の側壁避雷設備。
【発明の詳細な説明】
【技術分野】
【０００１】
本発明は、建築物の側壁に雷が受雷し被害が発生するのを防止する建築物の側壁避雷設備に関する。
【背景技術】
【０００２】
最近、建築物等の避雷設備に関する従来の規格が変更となり、改訂された規格によれば、６０ｍを超えるような超高層建築物の側壁雷に対する保護が規定されている。しかし、現状では、６０ｍを超える建築物には側壁雷に対する保護がないものが多く、側壁雷の雷撃により側壁部の一部が破壊し落下する等の被害が発生している。
【０００３】
このような建築物の側壁雷の被害を防止するために、特開２００５−１８５０１７号公報には、外壁ユニットの取付金具を鉄骨躯体部材に固定することにより外壁を構成する建築物において、外壁ユニットの表面側に受雷部導電体を突設すると共に、取付金具との間を、内部を通した接続用導電体で接続し、外壁ユニットの表面側の受雷部導電体を、接続用導電体、取付金具及び鉄骨躯体部材を介して接地する建築物の側壁雷の保護装置が開示されている。
【特許文献１】特開２００５−１８５０１７号公報
【発明の開示】
【発明が解決しようとする課題】
【０００４】
しかしながら、従来の側壁避雷設備は、接続用導電体が外壁ユニットの端部に予め固定されて取付金具を介して鉄骨躯体に接続するという構成を採用しているので施工の自由度が少ないという問題を有するものであった。
【０００５】
本発明は、前記従来技術の課題を解決する、施工の自由度が大きく、かつ、施工が容易で施工期間を短縮できコストを低減する建築物の側壁避雷設備を提供することを目的とする。
【課題を解決するための手段】
【０００６】
本第１発明は、前記課題を解決するために、建築物の側壁避雷設備において、ＰＣ版からなる外壁パネルに受雷材取付金具を表裏面にその一部が露出するように予め打ち込み設置し、前記受雷材取付金具の裏面側露出部と構造用鉄骨とを接続用導電材で連結し、前記受雷材取付金具の表面側露出部に断面Ｌ字形の受雷材をその先端が前記外壁パネルの表面に貼り付ける化粧タイルの表面以上に突出するように設置することを特徴とする。
【０００７】
本第２発明は、本第１発明の建築物の側壁避雷設備において、前記受雷材取付金具が水平部と垂直部からなるＴ字形で、水平部が外壁パネル表面上に露出するように取り付けることを特徴とする。
【０００８】
本第３発明は、本第２発明の建築物の側壁避雷設備において、前記受雷材取付金具の水平部に前記断面Ｌ字形の受雷材を予め固定しておくことを特徴とする。
【０００９】
本第４発明は、本第１〜第３発明のいずれかの建築物の側壁避雷設備において、前記受雷材取付金具及び受雷材をステンレス製とすることを特徴とする。
【発明の効果】
【００１０】
本発明のＰＣ版からなる外壁パネルに受雷材取付金具を表裏面にその一部が露出するように予め打ち込み設置し、前記受雷材取付金具の裏面側露出部と構造用鉄骨とを接続用導電材で連結し、前記受雷材取付金具の表面側露出部に断面Ｌ字形の受雷材をその先端が前記外壁パネルの表面に貼り付ける化粧タイルの表面以上に突出するように設置する構成により、側壁避雷設備の設置工事の施工が容易となり、該壁面に受雷材の突出が少なく美観を損ねることがない側壁避雷設備とすることができる。
受雷材取付金具が水平部と垂直部からなるＴ字形で、水平部が外壁パネル表面上に露出するように取り付ける構成により、受雷材を固定するための固定面積を多くすることができ、強固に受雷材を取り付けることができる。
受雷材取付金具の水平部に断面Ｌ字形の受雷材を予め固定しておく構成により、側壁避雷設備の施工が容易になり、外壁パネルに化粧タイルを貼り付ける接着剤への溶接熱による影響を防止できる。
受雷材取付金具及び受雷材をステンレス製とする構成により、潮風に含まれる塩分による腐食を防止できる。
【発明を実施するための最良の形態】
【００１１】
本発明の実施の形態を図により説明する。図１〜図４は、本発明の建築物の側壁避雷設備の一実施形態を示す図である。
【００１２】
本実施形態は建築物の側壁避雷設備は、非導電性材料で形成されたＰＣ版からなる外壁パネル１が外壁材支持用鉄骨等の構造用鉄骨に取付具（図示せず）により支持される建築物の外壁構造に適用される。外壁パネル１には、図２に示されるように、水平部２と垂直部３からなるＴ字形の受雷材取付金具４の水平部２が外壁パネル１の表面上に位置して露出し、垂直部３が外壁パネル１の厚み方向に伸び裏面側に突出するように外壁パネル１製造時に設置する。水平部２及び垂直部３は、所定幅を有する板状とする。受雷材取付金具４の材質としては、耐腐食性を考慮してステンレスを使用するのが望ましい。
【００１３】
受雷材取付金具４の水平部２に、図３に示されるような断面Ｌ字形の受雷材５の水平部をスポット溶接やボルト締め等の固定手段により固定する。無駄な突出部が無いことから、スポット溶接による固定が望ましい。断面Ｌ字形の受雷材５は、受雷材取付金具４の水平部２の伸びる方向に伸び１枚の外壁パネル１に収まる長さとする。この実施形態では、断面Ｌ字形の受雷材５は、外壁パネル１の横方向に伸びるように設置されているが、縦方向に設置しても良い。断面Ｌ字形とする理由は、平板より突出した部分がある形状が受雷材として適しており、加工も容易であるということである。
【００１４】
外壁パネル１の表面側には、化粧タイル６が接着剤等により貼り付けられる。受雷材取付金具４の水平部２に固定される断面Ｌ字形の受雷材５の垂直部が、化粧タイル６の厚み以上とし、化粧タイル６の表面から突出するように配置する。断面Ｌ字形の受雷材５の材質は、耐腐食性を考慮してステンレスを使用するのが望ましく、折り曲げ加工により容易に断面Ｌ字形に成形することができる。
【００１５】
断面Ｌ字形の受雷材５の外壁パネル１への取り付けは、外壁パネル１が建築物の側壁に設置されてから実施しても良いが、化粧タイル６の貼り付けのための接着剤への溶接熱又はボルト締めの振動の影響や、高所での溶接やボルト締め当の固定作業の困難性を考慮すると、外壁工事前に実施するのが望ましい。化粧タイル６の貼り付け作業は、断面Ｌ字形の受雷材５の外壁パネル１への取り付け作業の終了後に実施するのが、接着剤の溶接熱又はボルト締めの振動による影響を受けないので望ましい。
【００１６】
外壁パネル１の裏面側に突出する受雷材取付金具４には、接続用導電材７の一方の端子９を圧着固定するための孔が形成される。受雷材取付金具４と構造用鉄骨８との接続用導電材７との接続は外壁工事に伴い実施される。先ず、構造用鉄骨８に接続用導電材７の他方の端子９を固定しておく。外壁工事に伴い外壁パネル１が所定の位置に設置された後、外壁パネル１の裏面側の受雷材取付金具４の突出部に、接続用導電材７を通す孔を形成した側壁避雷設備保護ボックス１０を固定ボルトで固定する。側壁避雷設備保護ボックス１０内で、接続用導電材７の一方の端子を受雷材取付金具４の裏面側の突出部に圧着固定する。この実施形態では、接続用導電材７の外周に絶縁シース１１が被覆されている。
【００１７】
外壁パネル１に予め断面Ｌ字形の受電材５を固定し、化粧タイル６を貼り付けておくと、外壁工事に伴う側壁避雷設備の工事は、外壁パネル１の裏面側の構造用鉄骨８と受雷材取付金具の接続用導電材による工事のみで済み、非常に容易に建築物の側壁避雷設備を施工することができる。なお、本実施形態では、断面Ｌ字形の受雷材を予め外壁パネル１の表面に固定したケースについて説明したが、外壁パネル１の建築物の設置後に断面Ｌ字形の受雷材５を設置しても良い。
【００１８】
図４は、本発明の建築物の側壁避雷設備の他の実施形態を示すものである。この実施形態では、受雷材取付金具４の外壁パネル１への打ち込み設置の構成、断面Ｌ字形の受雷材５の受雷材取付金具４への取り付け構成は、図１〜図３に示す実施形態と同様であるので省略する。この実施形態では、受雷材取付金具４の外壁パネル１の裏面側の突出部分を折り曲げ外壁パネル１の裏面上に接するようにして、折り曲げた部分に接続用導電材７の端子９を固定する。受雷材取付金具４が外壁パネル１の裏面から突出していないので、接続用導電材７の接続スペースを小さくできる。側壁避雷設備保護ボックス１０の固定及び接続用導電材７の構造用鉄骨８への接続構成は、図１〜図３に示す実施形態と同様であるので省略する。
【００１９】
図５は、本発明の建築物の側壁避雷設備の他の実施形態を示すものである。この実施形態では、受雷材取付金具４の外壁パネル１への打ち込み設置の構成、断面Ｌ字形の受雷材５の受雷材取付金具４への取り付け構成は、図１〜図３に示す実施形態と同様であるので省略する。この実施形態では、構造用鉄骨８と外壁パネル１の裏面に突出する受雷材取付金具４の距離が近く、側壁避雷設備保護ボックス１０を設置するスペースが無いケースに採用され、外壁パネル１の裏面に突出する受雷材取付金具４と構造用鉄骨８を絶縁シース１１の無い接続用導電材７で連結する。
【００２０】
以上のように、本発明の建築物の側壁避雷設備は、施工が容易で施工期間が短縮できるのでコストを低減でき、断面Ｌ字形の受雷材５が受雷材取付金具４の水平部に強固に取り付けられるので耐久性に優れ、建築物の外壁の美観を損なうことのないものである。
【図面の簡単な説明】
【００２１】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【符号の説明】
【００２２】
１：外壁パネル、２：水平部、３：垂直部、４：受雷材取付金具、５：断面Ｌ字形の受雷材、６：化粧タイル、７：接続用導電材、８：構造用鉄骨、９：端子、１０：側壁避雷設備保護ボックス、１１：絶縁シース、
【図１】
2008312312.tif 000003
【図２】
2008312312.tif 000004
【図３】
2008312312.tif 000005
【図４】
2008312312.tif 000006
【図５】
2008312312.tif 000007